(57)【特許請求の範囲】
【請求項１】
物品を識別するコード情報を用いて前記物品を管理するための物品管理装置において、
前記物品を使用する動作の用語に関連し、且つ、文字および数字の少なくともいずれかで表される前記コード情報と、前記物品の名称に関連する物品情報と、を対応付けた登録データテーブルを、事前に記憶する記憶部と、
前記物品情報を取得すると、前記登録データテーブルを参照し、前記物品情報に対応する前記物品を使用する動作の用語に関連する前記コード情報を抽出するコード情報抽出処理と、
前記コード情報を取得すると、前記登録データテーブルを参照し、前記コード情報に対応する前記物品の名称に関連する前記物品情報を抽出する物品情報抽出処理、の少なくともいずれか一方の処理を実行し、且つ、
前記コード情報抽出処理を実行した場合に、前記コード情報抽出処理で抽出された前記コード情報を出力装置に出力するコード情報出力処理を実行し、
前記物品情報抽出処理を実行した場合に、前記物品情報抽出処理で抽出された前記物品情報を前記出力装置に出力する物品情報出力処理を実行する制御部と、を有することを特徴とする物品管理装置。
【請求項２】
前記記憶部は、
前記物品を使用する動作を表す動詞の少なくとも頭文字を前記コード情報として、前記登録データテーブルに事前に記憶することを特徴とする請求項１に記載の物品管理装置。
【請求項３】
前記記憶部は、
前記物品の名称に関連する前記物品情報と、前記物品を使用する動作を表す動詞とを対応付けて、前記登録データテーブルに事前に記憶しており、
前記制御部は、
前記物品を使用する動作を表す動詞を取得すると、前記登録データテーブルを参照し、前記動詞に対応する前記コード情報、または、前記動詞に対応する前記コード情報に対応する１つまたは複数の前記物品情報の少なくともいずれかを抽出する動詞コード情報抽出処理と、
前記動詞コード情報抽出処理で抽出された前記コード情報または前記物品情報の少なくともいずれかを出力装置に出力する動詞コード情報出力処理と、を更に実行することを特徴とする請求項２に記載の物品管理装置。
【請求項４】
前記記憶部は、
前記物品の名称に関連する前記物品情報と、前記物品を使用する動作を表す動詞とを対応付けて、前記登録データテーブルに事前に記憶しており、
前記制御部は、
前記物品情報または前記コード情報のいずれかを取得すると、前記登録データテーブルを参照して、取得した前記物品情報または前記コード情報に対応する前記動詞を抽出する動詞抽出処理と、
前記動詞抽出処理で抽出された前記動詞を出力装置に出力する動詞出力処理と、をさらに実行することを特徴とする請求項２又は３に記載の物品管理装置。
【請求項５】
前記記憶部は、
前記物品を使用する動作を表す第１言語の動詞と、前記物品を使用する動作を表す前記第１言語の動詞に対応する前記第１言語とは異なる第２言語の動詞の少なくとも頭文字である前記コード情報とを対応付けて、前記登録データテーブルに事前に記憶しており、
前記制御部は、
前記物品を使用する動作を表す前記第１言語の動詞を取得すると、前記登録データテーブルを参照して、取得した前記第１言語の動詞に対応する前記第２言語の動詞の少なくとも頭文字である前記コード情報または取得した前記第１言語の動詞に対応する前記第２言語の動詞の少なくとも頭文字である前記コード情報に対応する前記物品情報の少なくともいずれかを抽出する第２言語コード情報抽出処理を更に実行することを特徴とする請求項２〜４のいずれか一項に記載の物品管理装置。
【請求項６】
前記物品の名称に関連する前記物品情報は、前記物品に関連するイラストをさらに含むことを特徴とする請求項１〜５のいずれか１項に記載の物品管理装置。
【請求項７】
前記記憶部は、
前記物品の名称に関連する前記物品情報と、前記物品情報を前記記憶部に登録した登録日および登録者の少なくとも一方の登録情報とを対応付けて、前記登録データテーブルに事前に記憶し、
前記制御部は、
前記登録情報を取得すると、前記登録データテーブルを参照し、前記登録情報に対応する前記物品情報、または、前記物品情報に対応する前記コード情報の少なくともいずれかを抽出する登録情報抽出処理と、
前記登録情報抽出処理で抽出された前記物品情報または前記コード情報の少なくともいずれかを出力装置に出力する登録情報出力処理と、を更に実行することを特徴とする請求項１〜６のいずれか一項に記載の物品管理装置。
【請求項８】
請求項１〜７のいずれか一項に記載の物品管理装置と、
前記物品を保管可能に構成されて、前記物品を識別するための前記コード情報が付された保管部と、
を有することを特徴とする物品管理システム。
【請求項９】
請求項１〜７のいずれか一項に記載の物品管理装置と、
前記物品を保管可能に構成された保管部と、を有しており、
前記保管部に保管されている前記物品に、前記物品を識別するための前記コード情報が付されていることを特徴とする物品管理システム。
【請求項１０】
前記物品情報および前記物品情報に対応付けられた前記コード情報が記載されたリスト部、を更に有することを特徴とする請求項８または９に記載の物品管理システム。
【請求項１１】
前記物品の名称に関連する前記物品情報は、前記物品が保管されている前記保管部の位置に関する情報をさらに含むことを特徴とする請求項８〜１０のいずれか一項に記載の物品管理システム。
【発明の詳細な説明】
【技術分野】
【０００１】
本発明は、物品を識別するコード情報を利用して物品を管理する物品管理装置および物品管理システムに関する。
【背景技術】
【０００２】
従来、倉庫などにおいて、物品を識別するコード情報を利用して物品の管理を行う物品管理システムが知られている。例えば、特許文献１に開示されているピッキングシステムおいては、管理装置の記憶部に、ピッキングすべき物品のコード情報を含むピッキングデータが記憶されている。そして、管理装置の記憶部に記憶されたピッキングデータは、作業者が携帯する携帯端末装置を介して、ピッキングする物品を収納するための収納箱に取り付けられた無線表示器に送信される。携帯端末装置は、棚から取り出された物品に付されたコード情報と、物品を収納する収納箱の無線表示器に表示されたコード情報とをコード読取部により光学的に読み取り、それらの一致または不一致を判断する。コード情報は、バーコードや二次元コードなどであり、物品を識別するための情報である。
【先行技術文献】
【特許文献】
【０００３】
【特許文献１】特開２０１３−２０９２０６号公報
【発明の概要】
【発明が解決しようとする課題】
【０００４】
上記のように、物品管理装置および物品管理システムにおいて、物品の管理に、バーコードや二次元コードなどのコード情報を利用する場合には、物品などに付するバーコードや二次元コードなどのコード情報を、特殊な方法を用いて生成しなければならない。ここで、バーコードは、一方向に並んだ線の太さによって数値や文字を表すものである。二次元コードは、垂直方向および水平方向にマトリクス状に配列されたセルの組み合わせによって数値や文字を表すものである。そのため、物品管理装置および物品管理システムでの物品の管理に手間がかかる。
【０００５】
また、物品の管理に、バーコードや二次元コードなどのコード情報を利用する場合には、物品とコード情報が一対に管理される為、複数の物品間でのコード情報の代替性に乏しく、複数の物品のそれぞれに、バーコードや二次元コードなどのコード情報を対応させることになり、物品管理装置および物品管理システムでの物品の管理が複雑になりやすい。更に、物品管理装置および物品管理システムにおいて、長期間に亘って物品を管理すると、例えば管理される物品が廃盤になり、物品と一対に管理されるバーコードや二次元コードなどのコード情報が不要になることがある。つまり、バーコードや二次元コードなどのコード情報は一過性の情報となり、使い捨てに陥いり易く、物品管理装置および物品管理システムでの物品の管理が複雑になりやすい。
【０００６】
また、物品管理装置および物品管理システムにおいて、物品の管理に、バーコードや二次元コードなどのコード情報を利用する場合には、これらのコード情報を読み取るための特殊な機器が必要である。つまり、物品管理装置および物品管理システムにおいて、物品の管理にコード情報を利用する場合には、これらのコード情報を読み取るための特殊な機器がなければ、物品を識別することができない。したがって、上記のような物品管理装置および物品管理システムでは、停電時などにはこれらの機器や管理装置が使用できなくなる可能性があり、信頼性に欠ける。
【０００７】
本発明の目的は、物品を簡単に管理しつつ、物品の管理の信頼性を高めることができる物品管理装置および物品管理システムを提供することである。
【課題を解決するための手段】
【０００８】
（１）本発明の物品管理装置は、物品を識別するコード情報を用いて前記物品を管理するための物品管理装置において、前記物品を使用する動作の用語に関連し、且つ、文字および数字の少なくともいずれかで表される前記コード情報と、前記物品の名称に関連する物品情報と、を対応付けた登録データテーブルを、事前に記憶する記憶部と、前記物品情報を取得すると、前記登録データテーブルを参照し、前記物品情報に対応する前記物品を使用する動作の用語に関連する前記コード情報を抽出するコード情報抽出処理と、前記コード情報を取得すると、前記登録データテーブルを参照し、前記コード情報に対応する前記物品の名称に関連する前記物品情報を抽出する物品情報抽出処理の少なくともいずれか一方の処理を実行し、且つ、前記コード情報抽出処理を実行した場合に、前記コード情報抽出処理で抽出された前記コード情報を出力装置に出力するコード情報出力処理を実行し、前記物品情報抽出処理を実行した場合に、前記物品情報抽出処理で抽出された前記物品情報を前記出力装置に出力する物品情報出力処理と、を実行する制御部と、を有する。
【０００９】
この構成によると、コード情報抽出処理により抽出される物品のコード情報は、文字および数字の少なくともいずれかである。したがって、簡単なコード情報を用いて、物品を簡単に管理することができる。そして、コード情報抽出処理により抽出される物品のコード情報は、物品を使用する動作の用語に関連するコード情報である。つまり、物品の名称が分からない場合であっても物品を使用する動作の用語がわかれば、登録データテーブルを参照し、コード情報から物品情報を抽出することができる。さらに、コード情報および物品情報は、印刷装置、表示装置、携帯端末などの出力装置に出力される。コード情報と物品情報とが対応付けられた登録データテーブルを予め準備しておくことにより、コード情報から物品情報を識別することができる。このように、物品を容易に連想できる物品を使用する動作の用語に関連するコード情報を用いることにより、物品の管理の信頼性を高めることができる。したがって、物品を簡単に管理しつつ、物品の管理の信頼性を高めることができる。
【００１０】
（２）本発明の別の観点によると、物品管理装置は、（１）の構成に加えて、以下の構成を有することが好ましい。
前記記憶部は、前記物品を使用する動作を表す動詞の少なくとも頭文字を前記コード情報として、前記登録データテーブルに事前に記憶する。
【００１１】
この構成によると、物品を識別するためのコード情報は、その物品を使用する動作を表す動詞の少なくとも頭文字である。ここで、物品を使用する動作を表す動詞は、複数の物品に対して共通で用いられることが多い。また、共通する動詞が用いられる物品同士は、物品の用途が類似している可能性が高い。そして、物品を使用する動作を表す動詞の少なくとも頭文字をコード情報とすることにより、コード情報毎に用途が類似する物品をまとめて管理することできる。そして、物品をより簡単に管理しつつ、物品の管理の信頼性をより高めることができる。
【００１２】
（３）本発明の別の観点によると、物品管理装置は、（２）の構成に加えて、以下の構成を有することが好ましい。
前記記憶部は、
前記物品の名称に関連する前記物品情報と、前記物品を使用する動作を表す動詞とを対応付けて、前記登録データテーブルに事前に記憶しており、
前記制御部は、
前記物品を使用する動作を表す動詞を取得すると、前記登録データテーブルを参照し、前記動詞に対応する前記コード情報、または、前記動詞に対応する前記コード情報に対応する１つまたは複数の前記物品情報の少なくともいずれかを抽出する動詞コード情報抽出処理と、
前記動詞コード情報抽出処理で抽出された前記コード情報または前記物品情報の少なくともいずれかを出力装置に出力する動詞コード情報出力処理と、を更に実行する。
【００１３】
この構成によると、物品の名称が分からない場合であっても物品を使用する動作の用語がわかれば、登録データテーブルを参照し、コード情報または物品情報を抽出することができる。したがって、物品をより簡単に管理しつつ、物品の管理の信頼性をより高めることができる。
【００１４】
（４）本発明の別の観点によると、物品管理装置は、（２）または（３）の構成に加えて、以下の構成を有することが好ましい。
前記記憶部は、
前記物品の名称に関連する前記物品情報と、前記物品を使用する動作を表す動詞とを対応付けて、前記登録データテーブルに事前に記憶しており、
前記制御部は、
前記物品情報または前記コード情報のいずれかを取得すると、前記登録データテーブルを参照して、取得した前記物品情報または前記コード情報に対応する前記動詞を抽出する動詞抽出処理と、
前記動詞抽出処理で抽出された前記動詞を出力装置に出力する動詞出力処理と、をさらに実行する。
【００１５】
この構成によると、物品を使用する動作を表す動詞が出力装置に出力される。ここで、コード情報は、物品を使用する動作を表す動詞の少なくとも頭文字である。したがって、出力装置に出力された動詞から、コード情報の根拠が分かる。
【００１６】
（５）本発明の別の観点によると、物品管理装置は、（２）〜（４）のいずれかの構成に加えて、以下の構成を有することが好ましい。
前記記憶部は、
前記物品を使用する動作を表す第１言語の動詞と、前記物品を使用する動作を表す前記第１言語の動詞に対応する前記第１言語とは異なる第２言語の動詞の少なくとも頭文字である前記コード情報とを対応付けて、前記登録データテーブルに事前に記憶しており、
前記制御部は、
前記物品を使用する動作を表す前記第１言語の動詞を取得すると、前記登録データテーブルを参照して、取得した前記第１言語の動詞に対応する前記第２言語の動詞の少なくとも頭文字である前記コード情報または取得した前記第１言語の動詞に対応する前記第２言語の動詞の少なくとも頭文字である前記コード情報に対応する前記物品情報の少なくともいずれかを抽出する第２言語コード情報抽出処理を更に実行する。
【００１７】
この構成によると、物品の名称や物品を使用する動作を表す第２言語の動詞がわからなくても、物品を使用する動作を表す第１言語の動詞がわかれば、登録データテーブルを参照し、コード情報または物品情報の少なくともいずれかを抽出することができる。したがって、物品をより簡単に管理しつつ、物品の管理の信頼性をより高めることができる。
【００１８】
（６）本発明の別の観点によると、物品管理装置は、（１）〜（５）のいずれかの構成に加えて、以下の構成を有することが好ましい。
前記物品の名称に関連する前記物品情報は、前記物品に関連するイラストをさらに含む。
【００１９】
この構成によると、物品に関連するイラストは、物品情報として、コード情報とともに印刷装置、表示装置、携帯端末などの出力装置に出力される。物品に関連するイラストを見ると、コード情報に対応する物品を、外国人や子どもでも識別することができる。したがって、物品をより簡単に管理しつつ、物品の管理の信頼性をより高めることができる。
【００２０】
（７）本発明の別の観点によると、物品管理装置は、（１）〜（６）のいずれかの構成に加えて、以下の構成を有することが好ましい。
前記記憶部は、
前記物品の名称に関連する前記物品情報と、前記物品情報を前記記憶部に登録した登録日及び登録者の少なくとも一方の登録情報とを対応付けて、前記登録データテーブルに事前に記憶し、
前記制御部は、
前記登録情報を取得すると、前記登録データテーブルを参照し、前記登録情報に対応する前記物品情報、または、前記物品情報に対応する前記コード情報の少なくともいずれかを抽出する登録情報抽出処理と、
前記登録情報抽出処理で抽出された前記物品情報または前記コード情報の少なくともいずれかを出力装置に出力する登録情報出力処理と、を更に実行する。
【００２１】
この構成によると、登録データテーブルを参照し、登録情報に基づいて、物品情報およびコード情報が印刷装置、表示装置、携帯端末などの出力装置に出力される。つまり、登録情報に基づいて管理している物品の検索することができる。したがって、物品の管理の信頼性をより高めることができる。
【００２２】
（８）本発明の物品管理システムは、請求項１〜７のいずれか一項に記載の物品管理装置と、前記物品を保管可能に構成されて、前記物品を識別するための前記コード情報が付された保管部と、を有することを特徴とする。
【００２３】
この構成によると、コード情報抽出処理により抽出される物品のコード情報は、文字および数字の少なくともいずれかである。そして、物品を保管する保管部に簡単なコード情報を付すことで、物品を簡単に管理することができる。また、コード情報抽出処理により抽出される物品のコード情報は、物品を使用する動作の用語に関連するコード情報である。つまり、物品の名称が分からない場合であっても物品を使用する動作の用語がわかれば、コード情報から保管部に保管されている物品をある程度把握することができる。このように、物品を容易に連想できる物品を使用する動作の用語に関連するコード情報を用いることにより、物品の管理の信頼性を高めることができる。したがって、物品を簡単に管理しつつ、物品の管理の信頼性が高めることができる。
【００２４】
（９）本発明の物品管理システムは、請求項１〜７のいずれか一項に記載の物品管理装置と、前記物品を保管可能に構成された保管部と、を有しており、前記保管部に保管されている前記物品に、前記物品を識別するための前記コード情報が付されていることを特徴とする。
【００２５】
この構成によると、コード情報抽出処理により抽出される物品のコード情報は、文字および数字の少なくともいずれかである。そして、保管部に保管されている物品に簡単なコード情報を付すことで、物品を簡単に管理することができる。また、コード情報抽出処理により抽出される物品のコード情報は、物品を使用する動作の用語に関連するコード情報である。つまり、物品の名称が分からない場合であっても物品を使用する動作の用語がわかれば、コード情報から保管部に保管されている物品をある程度把握することができる。このように、物品を容易に連想できる物品を使用する動作の用語に関連するコード情報を用いることにより、物品の管理の信頼性を高めることができる。したがって、物品を簡単に管理しつつ、物品の管理の信頼性が高めることができる。
【００２６】
（１０）本発明の別の観点によると、物品管理システムは、（８）または（９）の構成に加えて、以下の構成を有することが好ましい。
前記物品情報および前記物品情報に対応付けられた前記コード情報が記載されたリスト部、を更に有する。
【００２７】
この構成によると、停電時などで物品管理装置が使用できない場合であっても、コード情報と物品情報とが対応付けられたリストにより、コード情報から物品情報を識別することができる。したがって、物品を簡単に管理しつつ、物品の管理の信頼性が高めることができる。
【００２８】
（１１）本発明の別の観点によると、物品管理システムは、（８）〜（１０）のいずれかの構成に加えて、以下の構成を有することが好ましい。
前記物品の名称に関連する前記物品情報は、前記物品が保管されている前記保管部の位置に関する情報をさらに含む。
【００２９】
この構成によると、物品が保管されている保管部の位置は、物品情報として、コード情報とともに印刷装置、表示装置、携帯端末などの出力装置に出力される。そして、コード情報に対応する物品が保管されている場所を把握することができる。したがって、物品をより簡単に管理しつつ、物品の管理の信頼性をより高めることができる。
【発明の効果】
【００３０】
本発明の物品管理装置および物品管理システムは、物品を簡単に管理しつつ、物品の管理の信頼性を高めることができる。
【図面の簡単な説明】
【００３１】
【図１】本発明の一実施形態に係る物品管理システムの概略説明図である。
【図２】図１に示す物品管理装置の概略構成図である。
【図３】図２に示す物品管理装置の制御部の電気的構成を示すブロック図である。
【図４】図３に示す記憶部に記憶されるグローバルコード情報に関する表である。
【図５】図３に示す記憶部に記憶されるローカルコード情報に関する表である。
【図６】図３に示す記憶部に記憶される登録データテーブルである。
【図７】図３に示す制御部で行われる処理手順の一例を示すフローチャートである。
【図８】図２に示す表示部に表示される画面を示すものであり、（ａ）は初期画面、（ｂ）は検索画面である。
【図９】図２に示す表示部に表示される画面を示すものであり、（ａ）は情報表示画面、（ｂ）は情報選択画面である。
【図１０】図７に示す登録処理における処理手順の一例を示すフローチャートである。
【図１１】図２に示す表示部に表示される画面を示すものであり、（ａ）は登録者名入力画面、（ｂ）は物品名称入力画面、（ｃ）は日本語動詞入力画面、（ｄ）は保管位置情報入力画面である。
【発明を実施するための形態】
【００３２】
以下、本発明の物品管理装置および物品管理システムの好適な一実施形態について説明する。本実施形態は、本発明の物品管理装置を粘着性のラベルに印刷を行うラベルプリンタに適用し、本発明の物品管理システムを、例えば災害などの非常時に備えて、様々な物品を備蓄するための倉庫で用いた例である。
【００３３】
[物品管理システムの概要]
図１に示すように、本実施形態の物品管理システム１００は、ラベルプリンタ１と、物品を保管可能に構成された保管部８と、保管部８で保管されている物品に関する情報が記載されたリスト部９とで構築されている。
【００３４】
保管部８は、倉庫に備えられる棚である。棚は、棚枠８ａおよび棚板８ｂを有する。棚枠８ａおよび棚板８ｂは、例えば、平板状の金属板で形成される。保管部８は、棚枠８ａおよび棚板８ｂで構成された保管する物品を収容するための複数の収容空間８１を有している。複数の収容空間８１は、棚枠８ａおよび棚板８ｂにより、上下方向および水平方向に並んでマトリクス状に配置されている。本実施形態においては、上下方向に３つの収容空間８１が並んでおり、上下方向に並んだ３つの収容空間８１ごとに、倉庫内の収容空間８１の位置を示す位置情報が定められている。
【００３５】
保管部８の上部には、位置情報を示すプレート８３が取り付けられている。すなわち、図１において保管部８の左部に位置する３つの収容空間８１の位置情報は「Ａ−１」であり、保管部８の右部に位置する３つの収容空間８１の位置情報は「Ａ−２」である。なお、プレート８３は、保管部８の上部に限らず、保管部８の左部、右部または下部に取り付けてもよい。ここで、位置情報の先頭のアルファベットは、後述する記憶部１１に記憶される登録データテーブル１５のカテゴリーに対応している。さらに、保管部８の上部、左部、右部または下部に、先頭の文字（例えば「Ａ」）を表示するプレートを取り付けてもよい。
【００３６】
保管部８における各収容空間８１の上方にある棚枠８ａまたは棚板８ｂには、収容する物品を識別するためのコード情報が記載されたラベル８２がそれぞれ貼り付けられている。ラベル８２に記載されるコード情報は、後述するグローバルコード情報およびローカルコード情報である。なお、ラベル８２は、各収容空間８１の上方にある棚枠８ａまたは棚板８ｂに限らず、各収容空間８１の左方、右方または下方にある棚枠８ａまたは棚板８ｂに貼り付けられてもよい。
【００３７】
リスト部９には、保管部８で保管されている物品に関する情報として、後述する物品情報（物品の名称、イラスト、その物品が保管されている保管部８の位置情報）、物品情報に対応付けられたコード情報および登録情報が記載されている（図６参照）。
【００３８】
[ラベルプリンタ１の構造]
図２に示すように、本実施形態のラベルプリンタ１は、筐体２、表示部３、入力部４などを備えている。表示部（出力装置）３および入力部４は、筐体２に形成された開口に取り付けられており、その一部が筐体２の外側に露出している。筐体２の内部には、印刷機構（出力装置）５、制御部１０、および、記憶部１１（いずれも図３参照）が収容されている。筐体２の側部（図２の左側部）には、印刷されたラベルを排出するラベル排出口６が設けられている。
【００３９】
表示部３は、ユーザに報知するための情報を表示するものである。表示部３の具体的な構成は特に限定されないが、例えば液晶ディスプレイや有機ＥＬディスプレイなどを採用することができる。入力部４は、ユーザからの入力を受け付けるインターフェースである。入力部４は、本実施形態では複数の押しボタンで構成されているが、表示部３の表示面に重畳されたタッチセンサであってもよい。つまり、表示部３および入力部４は、タッチパネルであってもよい。入力部４は、文字や数字を入力するためのメインキー４１、表示部３に表示されたカーソルを移動させるための矢印キー４２、入力した内容を決定するための決定キー４３、新規に物品を登録するための登録キー４４、印刷を実行するための印刷キー４５および初期状態に戻るためのホームキー４６を含んでいる。
【００４０】
印刷機構５は、テープ状のラベルに印刷を行うものである。印刷機構５の印刷方式は特に限定されないが、例えばサーマル方式やインクジェット方式などを採用することができる。印刷機構５で印刷されたテープ状のラベルは、適切な大きさに切断された後、ラベル排出口６から排出される。
【００４１】
また、ラベルプリンタ１には、ＵＳＢインターフェース７（図３参照）が設けられている。ラベルプリンタ１は、ＵＳＢインターフェース７を介して、ＰＣ（personal computer）、プリンタ、ＵＳＢメモリなどの外部機器と接続することができる。なお、ラベルプリンタ１は、無線通信装置を有し、無線通信により外部機器と通信可能であってもよい。
【００４２】
図３に示すように、制御部１０は、ＣＰＵ（Central Processing Unit）である。記憶部１１は、制御部１０に電気的に接続されており、ＲＯＭ（Read Only Memory）１２、ＲＡＭ（Random Access Memory）１３およびＥＥＰＲＯＭ（Electrically Erasable Programmable Read Only Memory）１４を含む。制御部１０には、表示部３、入力部４、印刷機構５およびＵＳＢインターフェース７がさらに電気的に接続されている。
【００４３】
制御部１０は、ＲＯＭ１２に記憶されているプログラムを実行することによりラベルプリンタ１としての各種動作を実現する。ＲＯＭ１２は、制御部１０が処理を実行するプログラムの他、制御部１０が利用する各種のデータを記憶する。ＲＡＭ１３は、各種プログラムが読み出される作業領域として、またはデータを一時的に記憶する記憶領域として利用される。ＥＥＰＲＯＭ１４は、書き換え可能な不揮発メモリである。制御部１０は、これらの記憶部１１と協働して、表示部３や印刷機構５などの動作を制御する。
【００４４】
ＲＯＭ１２には、図４に示すグローバルコード情報に関する表および図５に示すローカルコード情報に関する表が、入力部４、ＵＳＢインターフェース７、または、無線通信などを介して、予め記憶されている。なお、ローカルコード情報に関する表およびグローバルコード情報に関する表は出荷前に予め記憶されていてもよい。図４に示すグローバルコード情報は、英語アルファベットのコード化の一例である。図４に示すように、グローバルコード情報は、英語アルファベットの２６文字をそれぞれ２桁の数字で構成されるコードに対応付けたものである。グローバルコード情報は、英語アルファベットの２６文字を全て１回ずつ使用する文章「Mr. Jock, TV Quiz Ph.D, bags few lynx.」に基づいている。
【００４５】
すなわち、上記の文章を単語ごとに区切り、「Mr」を第１ブロック、「Jock」を第２ブロック、「TV」を第３ブロック、「Quiz」を第４ブロック、「Ph」を第５ブロック、「D」を第６ブロック、「bags」を第７ブロック、「few」を第８ブロック、「lynx」を第９ブロックとしている。さらに、各ブロックの単語を構成する文字に対して文字順に番号を振っている。例えば第１ブロックの「Mr」については、１文字目の「M」が「１」、２文字目の「r」が「２」である。
【００４６】
そして、各文字のコードは、その文字が属するブロックの番号を十の位とし、ブロック内でのその文字の文字順の番号を一の位とする、２桁の数字となっている。すなわち、例えば「k」は第２ブロックに属するので、「k」のコードの十の位は「２」である。また、「k」は、第２ブロック「Jock」において４番目の文字であるので、「k」のコードの一の位は「４」である。つまり、「k」のコードは「２４」である。
【００４７】
図５に示すローカルコード情報は、５０音のコード化の一例である。ローカルコード情報は、図５に示すように、５０音の各文字をそれぞれ３桁の数字で構成されるコードに対応づけたものである。ローカルコード情報に関する表においては、あ段の文字のコードの一の位を「１」、い段の文字のコードの一の位を「２」、う段の文字のコードの一の位を「３」、え段の文字のコードの一の位を「４」、お段の文字のコードの一の位を「５」としている。
【００４８】
ここで、あ行の各文字のコードについて説明する。「あ」は、ローマ字で表記すると「a」である。図４に示すローカルコード情報に関する表によると、「a」のコードは「７２」である。そこで、「あ」のコードの百の位を「７」、十の位を「２」としている。また、「あ」はあ段の文字であるので一の位は「１」である。すなわち、「あ」のコードは、「７２１」である。
【００４９】
同様に、「い」、「う」、「え」、「お」をそれぞれローマ字で表記すると、「i」、「u」、「e」、「o」である。図４に示すローカルコード情報に関する表によると、「i」、「u」、「e」、「o」のコードは、それぞれ「４３」、「４２」、「８２」、「２２」である。よって、「い」のコードは、「i」のコード「４３」に、い段の文字の一の位につく「２」を加え、「４３２」となる。「う」のコードは、「u」のコード「４２」に、う段の文字の一の位につく「３」を加え、「４２３」となる。「え」のコードは、「e」のコード「８２」に、え段の文字の一の位につく「４」を加え、「８２４」となる。「お」のコードは、「o」のコード「２２」に、お段の文字の一の位につく「５」を加え、「２２５」となる。
【００５０】
次に、か行の各文字のコードについて説明する。か行の各文字は、ローマ字で表記すると「k」で始まる。図４に示すローカルコード情報に関する表によると、「k」のコードは「２４」である。そこで、か行の各文字のコードの百の位を「２」、十の位を「４」としている。なお、一の位については、上述のように、どの段の文字かによって「１」〜「５」のいずれかとなる。例えば、一の位が「１」であるあ段の文字である「か」のコードは、「２４１」となる。
【００５１】
同様に、さ行、た行、な行、は行、ま行、や行、ら行、わ行の各文字は、ローマ字で表記すると、それぞれ「s」、「t」、「n」、「h」、「m」、「y」、「r」、「w」で始まる。図４に示すローカルコード情報に関する表によると、「s」、「t」、「n」、「h」、「m」、「y」、「r」、「w」のコードは、それぞれ「７４」、「３１」、「９３」、「５２」、「１１」、「９２」、「１２」、「８３」である。
【００５２】
したがって、さ行の各文字のコードは、「７４」に「１」〜「５」のいずれかを加えたものとなる。た行の各文字のコードは、「３１」に「１」〜「５」のいずれかを加えたものとなる。な行の各文字のコードは、「９３」に「１」〜「５」のいずれかを加えたものとなる。は行の各文字のコードは、「５２」に「１」〜「５」のいずれかを加えたものとなる。ま行の各文字のコードは、「１１」に「１」〜「５」のいずれかを加えたものとなる。や行の各文字のコードは、「９２」に「１」、「３」、「５」のいずれかを加えたものとなる。ら行の各文字のコードは、「１２」に「１」〜「５」のいずれかを加えたものとなる。わ行の各文字のコードは、「８３」に「１」または「５」を加えたものとなる。
【００５３】
濁音および半濁音の各文字のコードについても同様に定められている。すなわち、が行、ざ行、だ行、ば行、ぱ行の各文字は、ローマ字で表記すると、それぞれ「g」、「z」、「d」、「b」、「p」で始まる。図４に示すローカルコード情報に関する表によると、「g」、「z」、「d」、「b」、「p」のコードは、それぞれ「７３」、「４４」、「６１」、「７１」、「５１」である。
【００５４】
したがって、が行の各文字のコードは、「７３」に「１」〜「５」のいずれかを加えたものとなる。ざ行の各文字のコードは、「４４」に「１」〜「５」のいずれかを加えたものとなる。だ行の各文字のコードは、「６１」に「１」、「４」、「５」のいずれかを加えたものとなる。ば行の各文字のコードは、「７１」に「１」〜「５」のいずれかを加えたものとなる。ぱ行の各文字のコードは、「５１」に「１」〜「５」のいずれかを加えたものとなる。
【００５５】
また、ＲＯＭ１２には、複数の日本語の動詞を１または複数の英語の動詞にそれぞれ対応付けた対応英動詞データが記憶されている。かかる対応英動詞データは、既存の和英辞典や類語辞典などのデータを利用してもよい。さらに、ＲＯＭ１２には、複数の物品の名称を、その物品に関連するイラストに対応付けた対応イラストデータが、入力部４、ＵＳＢインターフェース７、または、無線通信などを介して、予め記憶されている。なお、対応イラストデータは出荷前に予め記憶されていてもよい。対応英動詞データを構成する日本語の動詞や対応イラストデータを構成する物品の名称は、例えば「言葉図鑑（１９９８年  監修・制作：五味太郎  偕成社）」に収録されている動詞や名詞を抽出してもよい。
【００５６】
ＥＥＰＲＯＭ１４には、図６に示す登録データテーブル１５が記憶されている。つまり、記憶部１１には、登録データテーブル１５が記憶されている。登録データテーブル１５は、種々の物品に関して、物品情報、物品を使用する動作を表す動詞、コード情報および登録情報を互いに対応づけるものである。登録データテーブル１５の情報は、入力部４、ＵＳＢインターフェース７、または、無線通信などを介して、ユーザにより登録されるものである。なお、図６に示すように、登録データテーブル１５においては、物品を、事務用品、医薬品、衛生用品などのカテゴリーに分けて記憶している。カテゴリーは、プレート８３に示される収容空間８１の位置情報の先頭の文字に対応している。例えば、事務用品は「Ａ」に対応し、医薬品は「Ｂ」に対応し、衛生用品は「Ｃ」に対応する。なお、カテゴリーに分けて記憶しなくてもよい。
【００５７】
物品情報とは、物品の名称、物品のイラストおよび位置情報を含んでいる。物品の名称は、ひらがなまたはカタカナ表記の名称と、ローマ字表記の名称とが記憶されている。位置情報は、保管部８においてその物品が収容される収容空間８１の位置情報である。なお、位置情報は、保管部８に取り付けられたプレート８３に示されている。物品を使用する動作を表す動詞は、日本の動詞および英語の動詞を含んでいる。
【００５８】
コード情報とは、物品を使用する用語に関連し、且つ、数字で表されるものである。より詳細には、コード情報は、物品を使用する動作を表す日本語の動詞の頭文字に対応する数字であるローカルコード情報と、その物品を使用する動作を表す日本語の動詞に対応する英語の動詞の頭文字に対応する数字であるグローバルコード情報とを含んでいる。
【００５９】
ここで、例えば、物品が「はさみ」である場合について述べる。「はさみ」を使用する動作を表す日本語の動詞の一例は、「切る」である。図５に示すローカルコード情報に関する表によると、「切る」の頭文字「き」のコードは「２４２」である。また、「切る」に対応する英語の動詞の一例は、「cut」である。図４に示すグローバルコード情報に関する表によると、「cut」の頭文字「c」のコードは、「２３」である。したがって、「はさみ」のコード情報は、ローカルコード情報「２４２」およびグローバルコード情報「２３」を含んでいる。
【００６０】
登録情報とは、その物品に関する情報を登録データテーブル１５に登録する登録処理が行われた登録日と、登録処理を行った登録者の情報とを含んでいる。登録日の情報は、登録処理が行われた登録時間に関する情報を含んでいてもよい。なお、登録情報は、登録データテーブル１５に含まれなくてもよい。
【００６１】
なお、本実施形態においては、上述のリスト部９（図１参照）は、登録データテーブル１５に基づいて作成することができる。具体的には、例えば、リスト部９は、ＵＳＢインターフェース７を介して、ラベルプリンタ１をプリンタ（不図示）に接続し、登録データテーブル１５をプリンタで印刷して作成してもよい。また、例えば、リスト部９は、無線通信を介して、登録データテーブル１５を送信して、携帯端末や情報端末の表示装置に登録データテーブル１５を表示することにより、作成してもよい。リスト部９には、登録データテーブル１５に含まれるデータのうち、少なくとも物品情報およびコード情報が記載される。
【００６２】
[制御部１０での制御]
次に、図７のフローチャートを参照しつつ、制御部１０で行われる処理手順の一例について説明する。初期状態（ラベルプリンタ１の電源をＯＦＦからＯＮにした時の状態）においては、図８（ａ）に示すような初期画面３１が表示部３に表示されている。初期画面３１には、物品を分類する複数のカテゴリーが表示されている。ユーザは、初期画面３１において、矢印キー４２でカーソルを移動させることでカテゴリーを選択し、決定キー４３を操作することでカテゴリーを決定することができる。
【００６３】
まず、制御部１０は、登録キー４４が操作されたか否かを判断する（Ｓ１１）。登録キー４４が操作されたと判断した場合には（Ｓ１１：ＹＥＳ）、後述する登録処理（図１０参照）を実行する（Ｓ１２）。一方、制御部１０は、登録キー４４が操作されていないと判断した場合には（Ｓ１１：ＮＯ）、決定キー４３が操作されカテゴリーが決定されたか否かを判断する（Ｓ１３）。ここで、ユーザによりカテゴリーが決定されたときには、図８（ｂ）に示すような検索画面３２が表示部３に表示される。ユーザは、検索画面３２において、メインキー４１によって文字や数字などの検索ワードを入力し、決定キー４３を操作することで入力内容を決定することができる。
【００６４】
制御部１０は、Ｓ１３においてカテゴリーが決定されていないと判断した場合には（Ｓ１３：ＮＯ）、ステップＳ１１に戻る。一方、制御部１０は、カテゴリーが決定されたと判断した場合には（Ｓ１３：ＹＥＳ）、決定されたカテゴリーを取得し、検索画面３２を表示部３に表示した後、決定キー４３が操作され検索画面３２における入力内容が決定されたか否かを判断する（Ｓ１４）。制御部１０は、入力内容が決定されていないと判断した場合には（Ｓ１４：ＮＯ）、Ｓ１４の判断を繰り返し行う。
【００６５】
そして、制御部１０は、入力内容が決定されたと判断した場合には（Ｓ１４：ＹＥＳ）、決定された入力内容が未登録情報であるか否かを判断する（Ｓ１５）。具体的には、制御部１０は、ＥＥＰＲＯＭ１４に記憶されている図６に示すような登録データテーブル１５の中に、決定された入力内容と一致するものがあるか否かを判断し、一致するものがなければ未登録情報であると判断する。より詳細には、制御部１０は、決定された入力内容が、登録データテーブル１５において、Ｓ１３で決定されたカテゴリーと同じカテゴリーに含まれる複数の物品に対してそれぞれ記憶されている７つの項目のいずれかと一致するか否かを判断する。なお、７つの項目とは、物品の名称、日本語の動詞、英語の動詞、ローカルコード情報、グローバルコード情報、登録日および登録者である。
【００６６】
制御部１０は、決定された入力内容が未登録情報であると判断した場合には（Ｓ１５：ＹＥＳ）、Ｓ１２に進み、後述する登録処理を実行する。一方、制御部１０は、決定された入力内容が未登録情報でないと判断した場合には（Ｓ１５：ＮＯ）、決定された入力内容を取得し、ＥＥＰＲＯＭ１４に事前に記憶された登録データテーブル１５を参照し、取得されたカテゴリーおよび入力内容と一致する物品に関連する表示情報を抽出する（Ｓ１６）。表示情報とは、後述する情報表示画面３３（図９（ａ）参照）で表示する情報であり、取得されたカテゴリー（図９（ａ）中の「カテゴリー」）および入力内容（図９（ａ）中の「検索ワード」）と一致する物品に関連する、グローバルコード情報、ローカルコード情報、物品の名称、英語の動詞、イラストおよび位置情報を含んでいる。
【００６７】
ここで、一例として、取得されたカテゴリーおよび入力内容が登録データテーブル１５に含まれる物品の名称と一致している場合、すなわちステップＳ１４で物品の名称を取得した場合の制御部１０の処理について説明する。この場合には、制御部１０は、登録データテーブル１５において、取得されたカテゴリーおよび入力内容である物品の名称と一致するカテゴリーおよび物品の名称に対応する物品に関連する、コード情報、英語の動詞、イラストおよび位置情報を表示情報として抽出する（コード情報抽出処理、動詞抽出処理）。例えば、図６の登録データテーブル１５に示すように、取得されたカテゴリーが「事務用品」であり、取得された入力内容が「はさみ」である場合、制御部１０は、カテゴリー「事務用品」、物品情報の物品の名称「はさみ」に一致する物品に関連するローカルコード情報「２４２」およびグローバルコード情報「２３」と、英語の動詞「ｃｕｔ」と、はさみのイラストと、位置情報「Ａ‐１」とを抽出する。
【００６８】
また、別の一例として、取得されたカテゴリーおよび入力内容が登録データテーブル１５に含まれるコード情報（ローカルコード情報またはグローバルコード情報）と一致している場合、すなわちステップＳ１４でコード情報を取得した場合の制御部１０の処理について説明する。この場合には、制御部１０は、登録データテーブル１５において、取得されたカテゴリーおよび入力内容であるコード情報と一致するカテゴリーおよびコード情報に対応する物品に関連する、物品の名称、英語の動詞、イラストおよび位置情報を表示情報として抽出する（物品情報抽出処理、動詞抽出処理）。また、制御部１０は、取得されたカテゴリーおよび入力内容であるコード情報と一致するカテゴリーおよびコード情報に対応する物品に関連する、ローカルコード情報およびグローバルコード情報のうちの、ステップＳ１４で取得された入力内容であるコード情報とは別のコード情報も表示情報として抽出する。
【００６９】
なお、取得されたカテゴリーおよび入力内容であるコード情報と一致するカテゴリーおよびコード情報の物品に対応する物品が複数ある場合には、制御部１０は、複数の物品に関連する表示情報を抽出する。例えば、図６の登録データテーブル１５を参照すると、取得されたカテゴリーが「事務用品」であり、取得された入力内容が「２３」であるとき、コード情報（グローバルコード情報）が「２３」である物品は２つある。このとき、制御部１０は、カテゴリー「事務用品」、コード情報のグローバルコード情報「２３」に一致する１つ目の物品に関連する表示情報として、名称「カッター」、ローカルコード情報「２４２」、英語の動詞「ｃｕｔ」、カッターのイラストおよび位置情報「Ａ‐１」を抽出する。また、制御部１０は、カテゴリー「事務用品」、コード情報のグローバルコード情報「２３」に一致する２つ目の物品に関連する表示情報として、名称「はさみ」、ローカルコード情報「２４２」、英語の動詞「ｃｕｔ」、はさみのイラストおよび位置情報「Ａ‐１」を抽出する。
【００７０】
さらに、別の一例として、取得されたカテゴリーおよび入力内容が登録データテーブル１５に含まれる動詞（日本語の動詞または英語の動詞）と一致している場合、すなわちステップＳ１４で動詞を取得した場合の制御部１０の処理について説明する。この場合には、制御部１０は、登録データテーブル１５において、取得されたカテゴリーおよび入力内容である動詞と一致するカテゴリーおよび動詞に対応する物品に関連する、物品の名称、コード情報（ローカルコード情報およびグローバルコード情報）、イラストおよび位置情報を表示情報として抽出する（動詞コード情報抽出処理、英語コード情報抽出処理）。また、ステップＳ１４で取得した動詞が日本語の動詞である場合には、制御部１０は、取得されたカテゴリーおよび入力内容である日本語の動詞と一致するカテゴリーおよび日本語の動詞に対応する物品に関連する、英語の動詞も表示情報として抽出する。
【００７１】
なお、取得されたカテゴリーおよび入力内容である動詞と一致するカテゴリーおよび動詞に対応する物品が複数ある場合には、制御部１０は、複数の物品に関連する表示情報を抽出する。例えば、図６の登録データテーブル１５を参照すると、取得されたカテゴリーが「事務用品」であり、取得された入力内容が「切る」であるとき、動詞（日本語の動詞）が「切る」である物品は２つある。このとき、制御部１０は、カテゴリー「事務用品」、動詞（日本語の動詞）「切る」に一致する１つ目の物品に関連する表示情報として、名称「カッター」、ローカルコード情報「２４２」、グローバルコード情報「２３」、英語の動詞「ｃｕｔ」、カッターのイラストおよび位置情報「Ａ‐１」を抽出する。制御部１０は、カテゴリー「事務用品」、動詞（日本語の動詞）「切る」に一致する２つ目の物品に関連する表示情報として、名称「はさみ」、ローカルコード情報「２４２」、グローバルコード情報「２３」、英語の動詞「ｃｕｔ」、はさみのイラストおよび位置情報「Ａ‐１」を抽出する。
【００７２】
加えて、別の一例として、取得されたカテゴリーおよび入力内容が登録データテーブル１５に含まれる登録情報（登録日または登録者）と一致している場合、すなわちステップＳ１４で登録情報を取得した場合の制御部１０の処理について説明する。この場合には、制御部１０は、登録データテーブル１５において、取得されたカテゴリーおよび入力内容である登録情報と一致するカテゴリーおよび登録情報に対応する物品に関連する、物品の名称、コード情報、英語の動詞、イラストおよび位置情報を表示情報として抽出する（登録情報抽出処理）。
【００７３】
なお、取得されたカテゴリーおよび入力内容である登録情報と一致するカテゴリーおよび登録情報に対応する物品が複数ある場合には、制御部１０は、複数の物品に関連する表示情報を抽出する。例えば、図６の登録データテーブル１５を参照すると、取得されたカテゴリーが「事務用品」であり、取得された入力内容が「2018/9/1」であるとき、登録情報の登録日が「2018/9/1」である物品は２つある。このとき、制御部１０は、カテゴリー「事務用品」、登録情報の登録日「2018/9/1」に一致する１つ目の物品に関連する表示情報として、名称「はさみ」、ローカルコード情報「２４２」、グローバルコード情報「２３」、英語の動詞「ｃｕｔ」、はさみのイラストおよび位置情報「Ａ‐１」を抽出する。制御部１０は、カテゴリー「事務用品」、登録情報の登録日「2018/9/1」に一致する２つ目の物品に関連する表示情報として、名称「ペン」、ローカルコード情報「２４１」、グローバルコード情報「８３」、英語の動詞「ｗｒｉｔｅ」、ペンのイラストおよび位置情報「Ａ‐２」を抽出する。
【００７４】
続いて、ステップＳ１６において、制御部１０は、取得されたカテゴリーおよび入力内容と一致する物品として、複数の物品に関連する表示情報が抽出されたか否かを判断する（Ｓ１７）。取得されたカテゴリーおよび入力内容と一致する物品として、１つの物品に関連する表示情報のみが抽出されたと判断した場合には（Ｓ１７：ＮＯ）、制御部１０は、後述するステップＳ２０に進む。一方、取得されたカテゴリーおよび入力内容と一致する物品として、複数の物品に関連する表示情報が抽出されたと判断した場合には（Ｓ１７：ＹＥＳ）、制御部１０は、図９（ｂ）に示すような情報選択画面３４を表示部３に出力して表示する（Ｓ１８）。
【００７５】
情報選択画面３４には、取得されたカテゴリーおよび入力内容と一致する物品として抽出された、複数の物品に関連する表示情報（グローバルコード情報、ローカルコード情報、物品の名称、英語の動詞、イラストおよび位置情報）が表示される。図９（ｂ）に示す例では、カッターに関連する表示情報とはさみに関連する表示情報とが表示されている。ユーザは、情報選択画面３４において、矢印キー４２でカーソルを移動させることで、取得されたカテゴリーおよび入力内容と一致する物品として抽出された、複数の物品に関連する表示情報のうちのいずれか１つの物品に関連する表示情報を選択し、決定キー４３を操作することで、選択した表示情報を決定することができる。
【００７６】
次に、情報選択画面３４において、制御部１０は、決定キー４３が操作され、選択された表示情報が決定されたか否かを判断する（Ｓ１９）。選択された表示情報が決定されていないと判断した場合には（Ｓ１９：ＮＯ）、制御部１０は、Ｓ１９の判断を繰り返し行う。そして、選択された表示情報が決定されたと判断した場合には（Ｓ１９：ＹＥＳ）、制御部１０は、図９（ａ）の情報表示画面３３に示すように、決定された表示情報を表示部３に出力して表示する（Ｓ２０）。
【００７７】
図９（ａ）に示すように、情報表示画面３３には、取得されたカテゴリーおよび入力内容と一致する物品として抽出された物品に関連する表示情報として、コード情報および物品情報が表示される。より詳細には、情報表示画面３３には、グローバルコード情報、ローカルコード情報、物品の名称、英語の動詞、イラストおよび位置情報がこの順で表示される。すなわち、取得された入力内容が物品の名称である場合には、情報表示画面３３には、ステップＳ１６で抽出されたグローバルコード情報、ローカルコード情報、英語の動詞、イラストおよび位置情報と、ステップＳ１４で決定された入力内容である物品の名称とが、表示部３に出力されて、表示される。取得された入力内容がコード情報である場合には、ステップＳ１６で抽出され、且つ、Ｓ１９で決定されたコード情報（ローカルコード情報またはグローバルコード情報）、物品の名称、英語の動詞、イラストおよび位置情報と、ステップＳ１４で決定された入力内容であるコード情報とが、表示部３に出力されて、表示される。取得された入力内容が英語の動詞である場合には、ステップＳ１６で抽出されたコード情報、物品の名称、イラストおよび位置情報と、ステップＳ１４で決定された入力内容である英語の動詞とが、表示部３に出力されて、表示される。取得された入力内容が日本語の動詞および登録情報である場合には、ステップＳ１６で抽出されたコード情報、物品の名称、英語の動詞、イラストおよび位置情報が、表示部３に出力されて、表示される。なお、本実施形態においては、情報表示画面３３に表示される物品の名称はローマ字表記である。情報表示画面３３に表示される物品の名称は、かな文字や漢字で表記してもよい。
【００７８】
その後、制御部１０は、ユーザにより印刷キー４５が操作され、印刷指示が行われたか否かを判断する（Ｓ２１）。制御部１０は、印刷指示が行われていないと判断した場合には（Ｓ２１：ＮＯ）、ユーザによりホームキー４６が操作され、初期画面３１に戻る指示（終了指示）が行われたか否かを判断する（Ｓ２２）。制御部１０は、初期画面３１に戻る指示（終了指示）が行われていないと判断した場合には（Ｓ２２：ＮＯ）、ステップＳ２１に戻る。制御部１０は、初期画面３１に戻る指示（終了指示）が行われたと判断した場合には（Ｓ２２：ＹＥＳ）、初期画面３１に戻って処理を終了する。
【００７９】
一方、ステップＳ２１において、制御部１０は、印刷指示が行われたと判断した場合には（Ｓ２１：ＹＥＳ）、印刷機構５により、ステップＳ２０において情報表示画面３３に表示された表示情報の印刷を実行する（Ｓ２３：コード情報出力処理、動詞コード情報出力処理、動詞出力処理、登録情報出力処理）。なお、本実施形態においては、ステップＳ２３において、表示情報のうちコード情報（グローバルコード情報およびローカルコード情報）のみを印刷する。そして、ステップＳ２３で印刷されたラベル８２は、保管部８に貼り付けられる（図１参照）。制御部１０は、印刷を実行した後は、初期画面３１に戻って処理を終了する。
【００８０】
次に、図１０のフローチャートを参照しつつ、制御部１０で行われる登録処理の一例について説明する。まず、制御部１０は、初期画面３１においてカテゴリーを決定済みであるか否かを判断する（Ｓ１０１）。すなわち、制御部１０は、図７に示すフローチャートのステップＳ１１において、登録キー４４が操作されたと判断した（Ｓ１１：ＹＥＳ）後、登録処理を実行した場合には、カテゴリーは未決定であると判断する（Ｓ１０１：ＮＯ）。また、制御部１０は、図７に示すフローチャートのステップＳ１３において、カテゴリーが取得され（Ｓ１３：ＹＥＳ）、ステップＳ１４において、入力内容が取得され（Ｓ１４：ＹＥＳ）、ステップＳ１５において、取得された入力内容が未登録情報であると判断し（Ｓ１５：ＮＯ）た後、登録処理を実行した場合には、カテゴリーは決定済みであると判断する（Ｓ１０１：ＹＥＳ）。
【００８１】
制御部１０は、ステップＳ１０１において、カテゴリーが決定済みであると判断した場合には（Ｓ１０１：ＹＥＳ）、後述するステップＳ１０３に進む。一方、制御部１０は、カテゴリーが未決定であると判断した場合には（Ｓ１０１：ＮＯ）、図８（ａ）に示すような初期画面３１において、決定キー４３が操作されカテゴリーが決定されたか否かを判断する（Ｓ１０２）。制御部１０は、カテゴリーが決定されていないと判断した場合には（Ｓ１０２：ＮＯ）、ステップＳ１０２の判断を繰り返す。
【００８２】
一方、制御部１０は、カテゴリーが決定されたと判断した場合には（Ｓ１０２：ＹＥＳ）、図１１（ａ）に示すような登録者名入力画面３５を表示部３に表示する（Ｓ１０３）。ユーザは、登録者名入力画面３５において、メインキー４１によって自分の名前を入力し、決定キー４３を操作することで登録者の名前を決定することができる。その後、制御部１０は、決定キー４３が操作され登録者名入力画面３５に入力された登録者の名前が決定されたか否かを判断する（Ｓ１０４）。制御部１０は、登録者の名前が決定されていないと判断した場合には（Ｓ１０４：ＮＯ）、ステップＳ１０４の判断を繰り返し行う。
【００８３】
そして、制御部１０は、登録者の名前が決定されたと判断した場合には（Ｓ１０４：ＹＥＳ）、図１１（ｂ）に示すような物品名称入力画面３６を表示部３に表示する（Ｓ１０５）。ユーザは、物品名称入力画面３６において、メインキー４１によって登録する物品の名称を入力し、決定キー４３を操作することで登録する物品の名称を決定することができる。その後、制御部１０は、決定キー４３が操作され物品名称入力画面３６に入力された登録する物品の名称が決定されたか否かを判断する（Ｓ１０６）。制御部１０は、登録する物品の名称が決定されていないと判断した場合には（Ｓ１０６：ＮＯ）、ステップＳ１０６の判断を繰り返し行う。
【００８４】
一方、制御部１０は、登録する物品の名称が決定されたと判断した場合には（Ｓ１０６：ＹＥＳ）、ＲＯＭ１２に予め記憶されている対応イラストデータに基づいて、ステップＳ１０６で決定された名称に対応するイラストを取得する（Ｓ１０７）。なお、制御部１０は、対応イラストデータに、ステップＳ１０６で決定された名称の物品に関するデータがＲＯＭ１２に記憶されていない場合には、イラストを取得することなくＳ１０８に進む。
【００８５】
続いて、制御部１０は、図１１（ｃ）に示すような日本語動詞入力画面３７を表示部３に表示する（Ｓ１０８）。ユーザは、日本語動詞入力画面３７において、メインキー４１によって登録する物品を使用する動作を表す日本語の動詞を入力し、決定キー４３を操作することで登録する物品に関連する日本語の動詞を決定することができる。その後、制御部１０は、決定キー４３が操作され日本語動詞入力画面３７に入力された日本語の動詞が決定されたか否かを判断する（Ｓ１０９）。制御部１０は、日本語の動詞が決定されていないと判断した場合には（Ｓ１０９：ＮＯ）、ステップＳ１０９の判断を繰り返し行う。
【００８６】
そして、制御部１０は、登録する物品に関連する日本語の動詞が決定されたと判断した場合には（Ｓ１０９：ＹＥＳ）、ＲＯＭ１２に記憶されたローカルコード情報に関する表に基づいてローカルコード情報を取得する（Ｓ１１０）。すなわち、制御部１０は、ローカルコード情報に関する表に基づいて、ステップＳ１０９で決定された日本語の動詞の頭文字に対応するコードをローカルコード情報として取得する。
【００８７】
また、制御部１０は、ＲＯＭ１２に記憶されている対応英動詞データに基づいて、ステップＳ１０９で決定された日本語の動詞に対応する英語の動詞を取得する（Ｓ１１１）。なお、日本語の動詞に対応する英語の動詞が複数ある場合には、制御部１０は、表示部３に複数の英語の動詞を表示し、ユーザが選択できるようにしてもよい。また、制御部１０は、日本語の動詞に対応する英語の動詞を取得する際に、対応英動詞データに基づいて決定するのではなく、ユーザ入力により任意に決定できるようにしてもよい。
【００８８】
さらに、制御部１０は、ＲＯＭ１２に記憶されているグローバルコード情報に関する表に基づいてグローバルコード情報を取得する（Ｓ１１２）。すなわち、制御部１０は、グローバルコード情報に関する表に基づいて、ステップＳ１１１で取得した英語の動詞の頭文字に対応するコードをグローバルコード情報として取得する。
【００８９】
次いで、制御部１０は、図１１（ｄ）に示すような保管位置情報入力画面３８を表示部３に表示する（Ｓ１１３）。ユーザは、保管位置情報入力画面３８において、メインキー４１によって登録する物品を保管する保管部８の位置情報を入力し、決定キー４３を操作することで登録する物品に関連する位置情報を決定することができる。その後、制御部１０は、決定キー４３が操作され保管位置情報入力画面３８に入力された位置情報が決定されたか否かを判断する（Ｓ１１４）。制御部１０は、位置情報が決定されていないと判断した場合には（Ｓ１１４：ＮＯ）、ステップＳ１１４の判断を繰り返し行う。
【００９０】
一方、制御部１０は、位置情報が決定されたと判断した場合には（Ｓ１１４：ＹＥＳ）、この登録処理で定まった情報をＥＥＰＲＯＭ１４に記憶する（Ｓ１１５）。すなわち、制御部１０は、Ｓ１０４で決定した登録者の名前、Ｓ１０６で決定された物品の名称、Ｓ１０７で取得したイラスト、Ｓ１０９で決定された日本語の動詞、Ｓ１１０で取得したローカルコード情報、Ｓ１１１で取得した英語の動詞、Ｓ１１２で取得したグローバルコード情報、Ｓ１１４で決定された位置情報およびこの登録処理が行われた登録日を互いに対応づけて、図６に示す登録データテーブル１５におけるＳ１０２で決定されたカテゴリー部分に記憶する。
【００９１】
なお、本実施形態においては、制御部１０は、ステップＳ１１５の後、図７のＳ２０に進み、登録処理で登録されたコード情報及び物品情報を情報表示画面３３に表示する。制御部１０は、ステップＳ１１５の後は、初期画面３１に戻るようにしてもよい。
【００９２】
[実施形態の効果]
以上のように、上述の実施形態のラベルプリンタ１は、物品を使用する動作の用語に関連し、且つ、数字で表されるコード情報と、物品の名称に関連する物品情報と、を対応付ける登録データテーブル１５が、事前にＥＥＰＲＯＭ１４に記憶されている。そして、制御部１０は、物品情報を取得すると、登録データテーブル１５を参照し、物品情報に対応する物品を使用する動作の用語に関連するコード情報を抽出するコード情報抽出処理と、コード情報を取得すると、登録データテーブル１５を参照し、コード情報に対応する物品の名称に関連する物品情報を抽出する物品情報抽出処理と、コード情報抽出処理で抽出されたコード情報および物品情報抽出処理で抽出された物品情報を表示部３および印刷機構５に出力するコード情報出力処理と、を実行する。
【００９３】
コード情報抽出処理により抽出される物品のコード情報は、数字である。したがって、簡単なコード情報を用いて、物品を簡単に管理することができる。そして、コード情報抽出処理により抽出される物品のコード情報は、物品を使用する動作の用語に関連するコード情報である。つまり、物品の名称が分からない場合であっても物品を使用する動作の用語がわかれば、コード情報から物品情報を抽出することができる。さらに、コード情報および物品情報は、表示部３および印刷機構５に出力される。コード情報と物品情報とが対応付けられた登録データテーブル１５を予め準備しておくことにより、コード情報から物品情報を識別することができる。このように、物品を容易に連想できる物品を使用する動作の用語に関連するコード情報を用いることにより、物品の管理の信頼性を高めることができる。したがって、物品を簡単に管理しつつ、物品の管理の信頼性を高めることができる。
【００９４】
また、通常、１つの物品に対しては、１つの名称が決まっている。したがって、多数の物品を識別するためには、物品の数だけ物品の名称（用語）を記憶する必要がある。しかしながら、本発明のように、物品を使用する動作の用語に関連するコード情報を利用することで、物品の数だけ用語を記憶する必要性が低下する。さらに、廃盤となった物品であり、現在は別の名称の物品が代替品として流通している物品を管理する場合であっても、物品を使用する動作の用語に関連するコード情報を利用することで、廃盤となった物品と現在流通している物品とをまとめて簡単に管理することが可能となる。
【００９５】
また、実施形態のラベルプリンタ１は、登録データテーブル１５に、物品を使用する動作を表す動詞の少なくとも頭文字をコード情報として事前に記憶する。したがって、物品を識別するためのコード情報は、その物品を使用する動作を表す動詞の少なくとも頭文字である。ここで、物品を使用する動作を表す動詞は、複数の物品に対して共通で用いられることが多い。また、共通する動詞が用いられる物品同士は、物品の用途が類似している可能性が高い。そして、物品を使用する動作を表す動詞の少なくとも頭文字をコード情報とすることにより、コード情報毎に用途が類似する物品をまとめて管理することできる。そして、物品をより簡単に管理しつつ、物品の管理の信頼性をより高めることができる。
【００９６】
さらに、実施形態のラベルプリンタ１では、制御部１０は、物品を使用する動作を表す動詞を取得すると、登録データテーブル１５を参照し、動詞に対応するコード情報、および、動詞に対応するコード情報に対応する１つまたは複数の物品情報を抽出する動詞コード情報抽出処理と、動詞コード情報抽出処理で抽出されたコード情報および物品情報を表示部３および印刷機構５に出力する動詞コード情報出力処理と、を更に実行する。したがって、物品の名称が分からない場合であっても物品を使用する動作の用語がわかれば、コード情報および物品情報を抽出することができる。よって、物品をより簡単に管理しつつ、物品の管理の信頼性をより高めることができる。
【００９７】
また、実施形態のラベルプリンタ１では、制御部１０は、物品情報またはコード情報のいずれかを取得すると、登録データテーブル１５を参照し、取得した物品情報またはコード情報に対応する動詞を抽出する動詞抽出処理と、動詞抽出処理で抽出された動詞を表示部３および印刷機構５に出力する動詞出力処理と、を更に実行する。したがって、物品を使用する動作を表す動詞が表示部３および印刷機構５に出力される。ここで、コード情報は、物品を使用する動作を表す動詞の少なくとも頭文字である。したがって、表示部３および印刷機構５に出力された動詞から、コード情報の根拠が分かる。
【００９８】
加えて、実施形態のラベルプリンタ１は、登録データテーブル１５に、物品を使用する動作を表す日本語の動詞と、物品を使用する動作を表す日本語の動詞に対応する英語の動詞の頭文字であるコード情報とを対応付けて事前に記憶している。制御部１０は、物品を使用する動作を表す日本の動詞を取得すると、登録データテーブル１５を参照して、取得した日本語の動詞に対応する英語の動詞の頭文字であるコード情報、および、取得した日本語の動詞に対応する英語の動詞の頭文字であるコード情報に対応する物品情報を抽出する英語コード情報抽出処理を更に実行する。したがって、物品の名称や物品を使用する動作を表す英語の動詞がわからなくても、物品を使用する動作を表す日本語の動詞がわかれば、コード情報および物品情報を抽出することができる。よって、物品をより簡単に管理しつつ、物品の管理の信頼性をより高めることができる。
【００９９】
また、実施形態のラベルプリンタ１では、物品情報は、物品に関連するイラストをさらに含んでいる。物品に関連するイラストは、物品情報として、コード情報とともに表示部３および印刷機構５に出力される。物品に関連するイラストを見ると、コード情報に対応する物品を、外国人や子どもでも識別することができる。したがって、物品をより簡単に管理しつつ、物品の管理の信頼性をより高めることができる。
【０１００】
また、実施形態のラベルプリンタ１は、登録データテーブル１５に、物品の名称に関連する物品情報と、物品情報を登録データテーブル１５に登録した登録日および登録者の情報である登録情報とを対応付けて事前に記憶している。制御部１０は、登録情報を取得すると、登録データテーブル１５を参照し、登録情報に対応する物品情報、および、物品情報に対応するコード情報を抽出する登録情報抽出処理と、登録情報抽出処理で抽出された物品情報およびコード情報を表示部３および印刷機構５に出力する登録情報出力処理と、を更に実行する。したがって、登録情報に基づいて、物品情報およびコード情報が表示部３および印刷機構５に出力される。つまり、登録情報に基づいて管理している物品の検索することができる。よって、物品の管理の信頼性をより高めることができる。
【０１０１】
さらに、実施形態の物品管理システム１００は、物品情報および物品情報に対応付けられたコード情報が記載されたリスト部９、を更に有する。したがって、停電時などで物品管理装置（ラベルプリンタ１）が使用できない場合であっても、コード情報と物品情報とが対応付けられたリスト部９により、コード情報から物品情報を識別することができる。したがって、物品を簡単に管理しつつ、物品の管理の信頼性が高めることができる。
【０１０２】
加えて、実施形態の物品管理システム１００は、物品情報は、物品が保管されている保管部８の位置に関する情報をさらに含む。したがって、物品が保管されている保管部８の位置は、物品情報として、コード情報とともに表示部３および印刷機構５に出力される。そして、コード情報に対応する物品が保管されている場所を把握することができる。よって、物品をより簡単に管理しつつ、物品の管理の信頼性をより高めることができる。
【０１０３】
[変形例]
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【０１０４】
上述の実施形態においては、物品管理装置の制御部が、コード情報抽出処理およびコード情報出力処理と、物品情報抽出処理および物品情報出力処理と、動詞コード情報抽出処理および動詞コード情報出力処理と、動詞抽出処理および動詞出力処理、登録情報抽出処理および登録情報出力処理の全てを実行する場合について説明したが、これには限定されない。物品管理装置の制御部が、コード情報抽出処理およびコード情報出力処理と、物品情報抽出処理および物品情報出力処理の少なくともいずれかを実行するものであってもよい。また、物品管理装置の制御部が、動詞コード情報抽出処理および動詞コード情報出力処理と、動詞抽出処理および動詞出力処理と、登録情報抽出処理および登録情報出力処理とを実行しても、実行しなくてもよい。
【０１０５】
上述の実施形態においては、コード情報は、物品を使用する動作を表す日本語の動詞の頭文字に対応する数字であるローカルコード情報と、その日本語の動詞に対応する英語の動詞の頭文字に対応する数字であるグローバルコード情報とを含んでいる場合について説明したが、これには限定されない。コード情報は、ローカルコード情報およびグローバルコード情報のいずれか一方のみであってもよい。さらに、コード情報は、動詞の頭文字に限定されるものではなく、例えば、動詞の最初の２文字であってもよい。また、コード情報は、数字に限定されるものではなく、文字であってもよい。加えて、動詞の言語は日本語および英語に限定されるものではなく、日本語および英語以外の言語を用いるものでもよい。
【０１０６】
上述の実施形態においては、図４に示すグローバルコード情報に関する表に基づいて英語アルファベットをコード化し、図５に示すローカルコード情報に関する表に基づいて５０音をコード化する場合について説明したが、英語アルファベットおよび５０音のコード化は別のコード表に基づいて行ってもよい。
【０１０７】
上述の実施形態においては、コード情報および物品情報を表示部３に表示し（Ｓ２０）、さらに印刷機構５により、Ｓ２０において表示部３に表示したコード情報および物品情報の印刷を実行する（Ｓ２３）場合について説明したが、これには限定されない。すなわち、例えばＳ２０での表示部３への表示のみが実行され、Ｓ２３での印刷の実行は行われなくてもよい。Ｓ２３での印刷の実行が行われない場合は、ラベルプリンタ１は、印刷機構５を備えなくてもよい。また、コード情報および物品情報は、ラベルプリンタ１の表示部だけでなく、スマートフォンやタブレット端末などの携帯端末に出力するようにしてもよい。
【０１０８】
上述の実施形態においては、ラベルプリンタ１の記憶部１１は、ＲＯＭ１２、ＲＡＭ１３およびＥＥＰＲＯＭ１４を含むが、これに限定されない。本発明において、物品管理装置の記憶部は、ＲＯＭ、ＲＡＭおよびＥＥＰＲＯＭの少なくとも１つを含むように構成されてもよいし、ＲＯＭ、ＲＡＭおよびＥＥＰＲＯＭ以外の記憶装置を含んでもよい。
【０１０９】
上述の実施形態においては、種々の物品に関して、物品情報、物品を使用する動作を表す動詞、コード情報および登録情報を互いに対応づける登録データテーブル１５が、記憶部１１のＥＥＰＲＯＭ１４に記憶されている場合について説明したが、これには限定されない。登録データテーブルは、記憶部に、少なくとも物品情報とコード情報とを対応付けて記憶されるものであればよい。
【０１１０】
上述の実施形態においては、物品の名称を取得した場合、取得した物品の名称に対応するコード情報、英語の動詞、イラストおよび位置情報を抽出する場合について説明したが、少なくともコード情報を抽出すればよい。
【０１１１】
上述の実施形態においては、コード情報を取得した場合、取得したコード情報に対応する物品の名称、英語の動詞、イラストおよび位置情報を抽出する場合について説明したが、少なくとも物品の名称を抽出すればよい。
【０１１２】
上述の実施形態においては、動詞（日本語の動詞または英語の動詞）を取得した場合、取得した動詞に対応する物品の名称、コード情報、イラストおよび位置情報を抽出する動詞コード抽出処理を行う場合について説明したが、物品の名称およびコード情報の少なくともいずれかを抽出すればよい。さらに、動詞コード抽出処理は、日本語の動詞を取得した場合にのみ行われるようにしてもよい。この場合、物品の名称およびグローバルコード情報の少なくともいずれかを抽出すればよい。さらに、動詞コード抽出処理は行われなくてもよい。
【０１１３】
上述の実施形態においては、登録情報を取得した場合、取得した登録情報に対応する物品の名称、コード情報、英語の動詞、イラストおよび位置情報を抽出する登録情報抽出処理を行う場合について説明したが、物品の名称およびコード情報の少なくともいずれかを抽出すればよい。さらに、登録情報抽出処理は行われなくてもよい。
【０１１４】
上述の実施形態においては、物品情報が、物品に関連するイラスト、および、物品が保管されている保管部８の位置に関する情報を含んでいる場合について説明したが、イラストや保管部８の位置に関する情報は含んでいなくてもよい。
【０１１５】
上述の実施形態においては、物品情報および物品情報に対応付けられたコード情報が記載されたリスト部９を備えている場合について説明したが、リスト部９は備えていなくてもよい。
【０１１６】
上述の実施形態においては、登録データテーブルの情報は、ユーザにより登録されるものである場合について説明したが、これには限定されない。登録データテーブルの情報は、予め用意されており、ユーザにより登録されるものでなくてもよい。
【０１１７】
上述の実施形態においては、本発明の物品管理システムを、物品を備蓄する倉庫において用いる場合について説明したが、本発明の適用範囲はこれに限定されるものではない。すなわち、本発明の物品管理システムを、例えば、ごみの分別施設で用いることもできる。
【０１１８】
上述の実施形態においては、ラベルプリンタに本発明の物品管理装置を適用する場合について説明したが、これには限定されない。本発明の物品管理装置は、スマートフォンやタブレット端末などの携帯端末やパーソナルコンピュータなどの情報端末に適用することもできる。
【０１１９】
上述の実施形態においては、出力装置がラベルプリンタの表示部および印刷機構である場合について説明したが、これには限定されない。本発明の出力装置は、スマートフォンやタブレット端末などの携帯端末の表示部、パーソナルコンピュータなどの情報端末の表示部、または、これらに接続された印刷装置であってもよい。
【０１２０】
上述の実施形態においては、保管部は、倉庫に備えられる棚である場合について説明したが、これに限定されない。本発明の保管部は、倉庫に備えられる引き出しを有するキャビネットであってもよい。この場合、引き出しが収容空間となる。
【０１２１】
上述の実施形態においては、コード情報が記載されたラベル８２が保管部８に貼り付けられる場合について説明したが、これには限定されない。すなわち、ラベル８２は、物品に貼り付けられていてもよい。なお、「物品に貼り付けられる」とは、物品自体に直接貼り付けられていてもよいし、包装された物品の包装材に貼り付けられていてもよい。
【０１２２】
上述の実施形態においては、ラベル８２に、グローバルコード情報およびローカルコード情報が付されている場合について説明したが、これには限定されない。すなわち、ラベル８２には、少なくともグローバルコード情報およびローカルコード情報のいずれかが付されていればよい。また、ラベル８２には、コード情報に加えて、物品の名称、英語の動詞、イラスト、位置情報などが付されていてもよい。
【０１２３】
上述の実施形態においては、「事務用品」、「医薬品」、「衛生用品」の各カテゴリーに、「Ａ」、「Ｂ」、「Ｃ」の符号をそれぞれ対応付ける場合について説明したが、各カテゴリーに対応付ける符号は、これに限定されない。ここで、例えば本発明を家庭内などでの収納に適用する場合の、「緊急」、「装着」、「記す」、「貴重品」、「医療」、「道具」、「メジャー」、「媒体」、「消耗品」、「バカンス」、の１０種類のカテゴリーに対応付ける符号について説明する。
【０１２４】
まず、「緊急」には「０」、「装着」には「１」、「記す」には「２」、「貴重品」には「３」、「医療」には「４」、「道具」には「５」、「メジャー」には「６」、「媒体」には「７」、「消耗品」には「８」、「バカンス」には「９」の基礎符号を対応付ける。そして、基礎符号に各カテゴリーの名称の頭文字に対応するコード情報を加えたものを、各カテゴリーの符号とする。すなわち、「緊急」の符号は、基礎符号「０」に、図５に示すローカルコード情報に関する表に基づいて「緊急」の頭文字「き」のローカルコード情報「２４２」を加えた「０２４２」である。同様に、「装着」は「１７４５」、「記す」は「２７４２」、「貴重品」は「３２４２」、「医療」は「４４３２」、「道具」は「５６１５」、「メジャー」は「６１１４」、「媒体」は「７７１１」、「消耗品」は「８７４２」、「バカンス」は「９７１１」である。
【０１２５】
上述のようにカテゴリーの符号を定める場合には、新たなカテゴリーを追加したい場合に、現在のカテゴリーの並び（符号の数字が小さい順の並び）に追加カテゴリーを容易に割り込ませることができる。すなわち、たとえば新しいカテゴリー「園芸」を「道具」と「メジャー」との間に割り込ませたい場合には、「園芸」の基礎符号を「５」にすればよい。つまり、「園芸」の頭文字「え」のローカルコード情報は「８２４」であるので、「園芸」の符号は「５８２４」であり、１１種類のカテゴリーを符号の数字が小さい順に並べたとき、「園芸」は「道具」と「メジャー」との間となる。
【符号の説明】
【０１２６】
１  ラベルプリンタ（物品管理装置）
３  表示部（出力装置）
５  印刷機構（出力装置）
８  保管部
９  リスト部
１０  制御部
１１  記憶部
１４  ＥＥＰＲＯＭ（記憶部）
１５  登録データテーブル
１００  物品管理システム
【要約】
【課題】物品を簡単に管理しつつ、物品の管理の信頼性を高める。
【解決手段】物品管理装置１は、物品を使用する動作の用語に関連し、且つ、数字で表されるコード情報と、物品の名称に関連する物品情報と、を対応付ける登録データテーブル１５を記憶部１１に記憶する。物品管理装置１の制御部１０は、登録データテーブル１５を参照し、取得した物品情報に対応する物品を使用する動作の用語に関連するコード情報を抽出し、出力装置３、５に出力するコード情報抽出処理およびコード情報出力処理と、取得したコード情報に対応する物品の名称に関連する物品情報を抽出して出力装置３、５に出力する物品情報抽出処理および物品情報出力処理との少なくともいずれか一方を実行する。
【選択図】図３【図１】
0006813859.tif 000002
【図２】
0006813859.tif 000003
【図３】
0006813859.tif 000004
【図４】
0006813859.tif 000005
【図５】
0006813859.tif 000006
【図６】
0006813859.tif 000007
【図７】
0006813859.tif 000008
【図８】
0006813859.tif 000009
【図９】
0006813859.tif 000010
【図１０】
0006813859.tif 000011
【図１１】
0006813859.tif 000012